(57)【要約】【課題】印刷を分けて行う印刷装置の途中段階で印刷装置にセットすべき印刷途中用紙を操作者が正しく選択することができる印刷装置を提供すること。【解決手段】印刷ジョブを色ごとに複数の印刷データに分けて、所定の色で印刷データが印刷された印刷物を前記所定の色とは異なる色で印刷する度にセットし直して、前記分けられた印刷データごとに印刷を行う印刷装置において、前記印刷データに関する情報を表示する表示部と、前記複数の印刷データを記憶するホールドメモリと、前記ホールドメモリに記憶された前記複数の印刷データから印刷するための印刷データが選択された際に、前記選択された印刷データの印刷ジョブにおいて、前記選択された印刷データの色とは異なる色での印刷が完了している他色印刷完了画像を前記表示部に表示させる表示制御部とを備える。【選択図】図９
2015030259.tif 000002
【特許請求の範囲】
【請求項１】
印刷ジョブを色ごとに複数の印刷データに分けて、所定の色で印刷データが印刷された印刷物を前記所定の色とは異なる色で印刷する度にセットし直して、前記分けられた印刷データごとに印刷を行う印刷装置において、
前記印刷データに関する情報を表示する表示部と、
前記複数の印刷データを記憶するホールドメモリと、
前記ホールドメモリに記憶された前記複数の印刷データから印刷するための印刷データが選択された際に、前記選択された印刷データの印刷ジョブにおいて、前記選択された印刷データの色とは異なる色での印刷が完了している他色印刷完了画像を前記表示部に表示させる表示制御部と、を備える
ことを特徴とする印刷装置。
【請求項２】
前記表示制御部は、前記印刷ジョブに対応する前記印刷済の印刷データが複数ある場合には、前記印刷済の複数の印刷データを合成した画像を、前記他色印刷完了画像として表示する
ことを特徴とする請求項1に記載の印刷装置。
【発明の詳細な説明】
【技術分野】
【０００１】
本発明は、複数回に印刷を分けて行う印刷装置に関する。
【背景技術】
【０００２】
複数回（例えば色ごと）に印刷を繰り返す方式の印刷がある。一例として、版胴交換を行うような孔版印刷装置があり、孔版印刷装置では、色ごとにドラム状の版胴を交換して印刷を行う。複数回に分けて印刷を進行させるような印刷方式では、事前に印刷具合を確認するために、印刷画像をプレビューするプレビュー装置が提案されている（特許文献１）。  
【先行技術文献】
【特許文献】
【０００３】
【特許文献１】特開２００２−１６６６１６号公報
【発明の概要】
【発明が解決しようとする課題】
【０００４】
孔版印刷装置では、１つのジョブで複数色の印刷をするには版胴の交換が必要になる。孔版印刷装置を実際に使用するに当たって、印刷ジョブが複数ある場合には、複数の印刷ジョブの印刷を各色ごとにまとめて行うような運用がされる。これにより、版胴の交換回数を減らして、印刷作業を効率的に進めることができる。
【０００５】
このような運用時には、２色目以降の印刷では、印刷ジョブの数だけ他色での印刷が完了している用紙束が印刷装置の回りに存在することになるため、操作者は、孔版印刷装置にセットすべき印刷済みの用紙束を間違えないように注意する必要がある。
【０００６】
本願発明は、上記課題に鑑み、印刷を分けて行う印刷装置の途中段階で印刷装置にセットすべき印刷途中の用紙束を操作者が正しく選択することができる印刷装置を提供することを目的とする。
【課題を解決するための手段】
【０００７】
上記目的を達成するために、第1の発明では、印刷ジョブを色ごとに複数の印刷データに分けて、所定の色で印刷データが印刷された印刷物を前記所定の色とは異なる色で印刷する度にセットし直して、前記分けられた印刷データごとに印刷を行う印刷装置において、前記印刷データに関する情報を表示する表示部と、前記複数の印刷データを記憶するホールドメモリと、前記ホールドメモリに記憶された前記複数の印刷データから印刷するための印刷データが選択された際に、前記選択された印刷データの印刷ジョブにおいて、前記選択された印刷データの色とは異なる色での印刷が完了している他色印刷完了画像を前記表示部に表示させる表示制御部と、前記他色印刷完了画像が印刷された印刷物に、前記選択された印刷データを印刷する印刷処理部と、を備える。
【０００８】
第1の発明によれば、選択された印刷データの印刷ジョブにおける他色印刷完了画像が表示部に表示されるので、印刷を分けて行う際、操作者が印刷装置にセットすべき印刷途中の用紙束を正しく選択することができる。
【０００９】
また、第２の発明では、第1の発明において、前記表示制御部は、前記印刷ジョブに対応する前記印刷済の印刷データが複数ある場合には、前記印刷済の複数の印刷データを合成した画像を、前記他色印刷完了画像として表示する。第２の発明によれば、セットすべき判別がより容易になる。
【発明の効果】
【００１０】
本発明によれば、印刷を分けて行う印刷装置の途中段階で印刷装置にセットすべき印刷途中用紙を操作者が正しく選択することができる印刷装置を提供することができる。
【図面の簡単な説明】
【００１１】
【図１】本発明の印刷装置を適用した孔版印刷システム１を示す図である。
【図２】孔版印刷機１０の主な構成を示すブロック図である。
【図３】ＰＣ５で作成された印刷データが孔版印刷機１０に送信される手順を説明するフローチャートである。
【図４】印刷操作中にＰＣ５の表示部に表示される画面の例である。
【図５】複数の印刷ジョブを色ごとにまとめるように行う処理の具体例を説明するための図である。
【図６】孔版印刷機１０で行われる２版目以降の印刷処理の手順を示すフローチャートである。
【図７】印刷条件等を設定するための製版メニュー画面の例を示す図である。
【図８】ホールドデータ選択画面１１０の例を示す図である。
【図９】ホールドデータ呼出画面１２０の第１の例を示す図である。
【図１０】ホールドデータ呼出画面１２０の第２の例を示す図である。
【発明を実施するための形態】
【００１２】
以下、図面に従って本発明の実施形態を説明する。図１は、本発明の印刷装置（孔版印刷機）を適用した孔版印刷システム１を示す図である。孔版印刷システム１は、ＰＣ（Personal Computer）５、通信Ｉ／Ｆ（Interface）８及び孔版印刷機１０を有する。
【００１３】
ＰＣ５は、プログラムを読込んで所定の処理を実行するＣＰＵを有する。ＰＣ５には、ＣＰＵにより実行されるソフトウェアとして、孔版印刷機１０に印刷を実行させるプリンタドライバ６が設けられる。プリンタドライバ６は、操作者により入力された印刷ジョブから孔版印刷機１０用の印刷データを生成して、孔版印刷機１０に送信する。プリンタドライバ６は、孔版印刷機１０用の印刷データとして、色別や表裏別に印刷データを生成する。また、ＰＣ５には、制御プログラムや印刷原稿となる文書データ等が記憶される記憶部、表示部や入力部等も設けられる。
【００１４】
通信Ｉ／Ｆ８は、ＰＣ５と孔版印刷機１０間でデータの授受を行うもので、例えばＬＡＮ（Local Area Network）あるいはＵＳＢ（Universal Serial Bus）である。通信Ｉ／Ｆ８を経由して、プリンタドライバ６で作成された印刷データや関連する制御データがＰＣ５から孔版印刷機１０に送信される。
【００１５】
孔版印刷機１０は、最初に印刷データ（原稿）からマスター（版）を作成し、そのマスターによりインクを用紙に転写することで印刷を行う印刷装置で、大量印刷に適した印刷装置である。孔版印刷機１０は、版胴１２を交換することで、多色印刷をすることができる。版胴１２としては、例えば黒、赤、緑の３種類が用意され、各色の印刷の前に手動で孔版印刷機１０より交換される。
【００１６】
図２は、孔版印刷機１０の主な構成を示すブロック図である。孔版印刷機１０は、制御部２０、操作パネル３０、原稿読取処理部３２、データ受信部３４、製版処理部３６、排版処理部３８、給紙処理部４０、印刷処理部４２、排紙処理部４４及びメモリ４６を有する。
【００１７】
制御部２０は、孔版印刷機１０全体を統括的に制御するもので、プログラムを読込んで処理を実行するＣＰＵを有する。操作パネル３０は、操作入力部と表示パネル（表示部）を有し、例えばＬＣＤと一体的に構成されたタッチパネルである。操作パネル３０上には、印刷に関する情報として、例えば印刷のガイド画面や印刷条件を設定するためのメニュー画面等が表示され、操作者は、タッチ入力することで、希望する製版機能や印刷データの選択を行い、印刷を実行させる。
【００１８】
原稿読取処理部３２は、光学スキャナが設けられた原稿読取部で読取られた原稿データを処理して印刷データに変換する。孔版印刷機１０には、ＰＣ５を使用しないで原稿から直接印刷することもできるように原稿読取部が内蔵されている。
【００１９】
データ受信部３４は、通信Ｉ／Ｆ８に接続され、ＰＣ５から出力された印刷データや関連する制御データを受信する。製版処理部３６は、印刷の原版となる孔版原紙を作成する処理を行う。具体的には、製版処理部３６は、内部に格納された孔版原紙を搬送し、ＰＣ５から送信された印刷データまたは原稿読取処理部３２で作成された印刷データに基づき、サーマルヘッドを発熱させて孔版原紙に微細な孔を形成し、その後所定長に切断して版胴１２に巻きつける。色ごとに版胴が交換されるので、各色ごとに孔版原紙は作成される。
【００２０】
排版処理部３８は、印刷完了後に版胴１２に巻きつけられた孔版原紙を版胴１２から引き剥がし、引き剥がした使用済みの孔版原紙を廃棄箱に収納する処理を行う。孔版印刷機１０には印刷用の用紙がセット（積載）される給紙台（不図示）が設けられ、給紙処理部４０は、給紙台から用紙を搬送して、版胴１２に用紙を送り込む処理を行う。
【００２１】
印刷処理部４２は、用紙にインクを転写して印刷する処理を行う。印刷処理部４２は、版胴１２にインクを供給して、給紙台から搬送されてきた用紙を版胴１２の孔版原紙にプレスローラによって押圧しながら巻きつけて版胴１２を回転させ、版胴１２の外周に巻きつけられた孔版原紙の孔から滲出したインクを用紙に転写することで印刷を行う。
【００２２】
排紙処理部４４は、版胴１２の外周に巻きつけられて印刷された用紙を版胴１２から剥がして排紙台（不図示）に搬送する処理を行う。メモリ４６は、孔版印刷機１０の制御用プログラム、操作パネル３０への表示用データあるいはテーブル等を記憶する。また、メモリ４６は、ＰＣ５から出力された印刷データを記憶する領域としてホールドメモリ４８を有する。
【００２３】
また、制御部２０は、ＣＰＵによりソフトウェア処理される機能部として、表示制御部２２、メモリ管理部２４を有する。表示制御部２２は、操作パネル３０の表示パネルを制御するものである。表示制御部２２は、操作入力部への入力に応じて、メモリ４６に記憶された各種表示用データや表示用の画像を生成して、表示パネルに表示する。
【００２４】
また、詳細は後述するが、表示制御部は、複数の印刷データの中から次に印刷する印刷データが選択された際に、選択された印刷データの属する印刷ジョブにおいて、いずれの印刷データまで印刷されたかを示す他色印刷完了画像を表示パネルに表示させる。メモリ管理部２４は、メモリ４６に記憶される制御プログラムや印刷データ等の書き込み、読出しや消去等を管理する。
【００２５】
図３は、ＰＣ５で印刷データが作成され、作成された印刷データが孔版印刷機１０に送信され、孔版印刷機１０で１版目が印刷される手順を説明するフローチャートである。なお、以下ではＰＣ５における処理をステップＰ、孔版印刷機１０における処理をステップＳで示す。ＰＣ５における処理は、主にＰＣ５のプリンタドライバ６によって実行され、孔版印刷機１０における処理は主に制御部２０によって実行される。
【００２６】
操作者からＰＣ５に文書データ（Ｄ１）の印刷指示がされたことを検出する（ステップＰ１０）。図４は、印刷操作中にＰＣ５の表示部（不図示）に表示される画面の１例を示す図である。図４（Ａ）は、印刷するよう選択された文書データ（Ｄ１）が表示された画面である。文書データ（Ｄ１）は、ファイル名ＡＥＫ.ｄｏｃで、Ａ（黒色）、Ｅ（赤色）、Ｋ（緑色）の３色の文字から構成される原稿とする。
【００２７】
操作者は、ＰＣ５でプリンタドライバ６を開いて、枚数等の印刷内容を設定する。図４（Ｂ）はプリンタドライバ６の画面の一部で、この画面で、色数やドラムの色が設定される。
【００２８】
プリンタドライバ６は、指定された文書データ（Ｄ１）を操作者の設定に従って色別に分割して（ステップＰ１２）、色別に印刷データを作成する（ステップＰ１４）。プリンタドライバ６は、作成した色別の印刷データを孔版印刷装置に一括して送信する（ステップＰ１６）。ここでは、プリンタドライバ６は、Ａ（黒色）に対応する１版目の印刷データ、Ｅ（赤色）に対応する２版目の印刷データ、Ｋ（緑色）に対応する３版目の印刷データを一括して送信する。
【００２９】
ＰＣ５から送信された印刷データを、孔版印刷機１０のデータ受信部３４が受信する（ステップＳ１０）。制御部２０のメモリ管理部２４は、受信した印刷データをいったんメモリ４６に格納する。なお、メモリ管理部２４は、２版目以降の印刷データ（赤色、緑色）については、ホールドメモリ４８に保存する（ステップＳ１４）。
【００３０】
制御部２０は、１版目（黒色）の印刷データについては、直ちに印刷を開始する（ステップＳ１２）。制御部２０は、印刷処理部４２等に１版目の印刷を実行させる。製版処理部３６により１版目の孔版原紙が作成され版胴１２にセットされ、給紙処理部４０により白紙の用紙が版胴１２に送り込まれ、印刷処理部４２により、操作者に指示された枚数分だけの印刷が行われる。そして、排紙処理部４４により、１版目が印刷された用紙は順番に排紙部に積載されていく。
【００３１】
前述したように、孔版印刷機１０で複数色を印刷する場合には、色ごとに版胴１２を交換し、１色が印刷された用紙を再度給紙台に戻して、新たな色の印刷を行い、色数だけこの作業を繰り返す。しかし、孔版印刷機１０では、孔版に使用するインクの性質上、用紙のインクが乾くのに一定時間必要である。つまり、版胴１２の交換後直ちに次の色の印刷に取り掛かることはできず、前のインクが乾くまでの間待つことが必要になる。乾燥時間は環境によって変化するが、例えば２時間である。
【００３２】
そこで、孔版印刷機１０では、処理すべき印刷ジョブが複数ある場合には、通常の静電プリンタのように各印刷ジョブをシリーズに処理していくではなく、複数の印刷ジョブを色ごとにまとめるように行う処理が一般的になされる。
【００３３】
図５は、複数の印刷ジョブを色ごとにまとめるように行う処理の具体例を説明するための図である。条件として、孔版印刷機１０の印刷速度１２０ｐｐｍ、インクの乾燥時間を２時間、印刷枚数を５０００枚、色数３とする。また、印刷ジョブは、ＡＥＫ.ｄｏｃ(第１ジョブ)、ＢＦＬ.ｄｏｃ(第２ジョブ)、ＣＧＭ.ｄｏｃ(第３ジョブ)及びＤＨＮ.ｄｏｃ(第４ジョブ)の４種とする。
【００３４】
大きな流れを説明すると、最初に黒の版胴１２を装着して各印刷ジョブの黒色を印刷し、次に黒の版胴１２を赤の版胴１２に交換して各印刷ジョブの赤色を印刷し、最後に赤の版胴１２を緑の版胴１２に交換して各印刷ジョブの緑色を印刷するようにする。
【００３５】
具体的に説明する。各印刷ジョブとして、第１ジョブ（ＡＥＫ.ｄｏｃ）から第４ジョブ（ＤＨＮ.ｄｏｃ）まで、順番にＰＣ５に入力されたとする。なお、孔版印刷機１０へは白紙の用紙が適宜供給されるものとする。
【００３６】
まず、最初に送信された第１ジョブ（ＡＥＫ.ｄｏｃ）の第１版印刷（黒色文字「Ａ」）で、５０００枚が印刷される。時間は約４２分である。出来上がった５０００枚の第１ジョブの第１版印刷物の束Ｊ１ａは、別途保管しておく。
【００３７】
第１ジョブの第１版印刷終了後、次に送信された第２ジョブ（ＢＦＬ.ｄｏｃ）の第１版印刷（黒色文字「Ｂ」）で、５０００枚が印刷され、第２ジョブの第１版印刷物の束Ｊ２ａが出来る。時間は同じく約４２分である。
【００３８】
続いて、第３ジョブ（ＣＧＭ.ｄｏｃ）の第１版印刷（黒色文字「Ｃ」）が行われ、第３ジョブの第１版印刷物の束Ｊ３ａが出来る。そして、第４ジョブ（ＤＨＮ.ｄｏｃ）の第１版印刷（黒色文字「Ｄ」）が行われ、第４ジョブの第１版印刷の束Ｊ４ａが出来る。時間は同じく約４２分である。
【００３９】
ここで、第４ジョブの第１版印刷の終了時点で、第１ジョブの第１版印刷物の束Ｊ１ａは、印刷の終了からインクの乾燥時間である約２時間が経過しているので、第２版印刷を行うことができる。
【００４０】
版胴１２を黒から赤に交換して、第１ジョブの第１版印刷物の束Ｊ１ａ（黒色文字「Ｃ」）を給紙台にセットして、第１ジョブの第２版印刷（赤色文字「Ｅ」）をスタートさせる。黒色文字「Ａ」に赤色文字「Ｅ」が重畳されて５０００枚が印刷され、第１ジョブの第２版印刷物の束Ｊ１ｂが出来る。
【００４１】
第１ジョブの第２版印刷終了後、第２ジョブの第１版印刷の束Ｊ２ａも、印刷後２時間経過しているので、次の印刷が可能である。第２ジョブの第１版印刷物の束Ｊ２ａ（黒色文字「Ｂ」）を給紙台にセットして、第２ジョブの第２版印刷（赤色文字「Ｆ」）をスタートさせる。同様に、第３ジョブの第２版印刷（赤色文字「Ｇ」）、第４ジョブの第２版印刷（赤色文字「Ｈ」）を行う。
【００４２】
第４ジョブの第２版印刷（赤色文字「Ｈ」）終了時点で、第１ジョブの第２版印刷物の束Ｊ１ｂは印刷後２時間経過しているので、版胴１２を赤から緑に交換して、第１ジョブの第３版印刷（緑色文字「Ｋ」）を行うことができる。そして、第１ジョブの第３版印刷物の束Ｊ１ｃが出来る。同様なやり方で、第２ジョブ・第３ジョブ・第４ジョブの各第３版印刷を行うことができる。
【００４３】
このように複数の印刷ジョブを同色ごとにまとめて処理することで、効率のよい処理を行うことができる。ただし、２版目以降の印刷に際して、操作者は、対応する印刷ジョブで途中まで印刷された印刷物の束を給紙台にセットする必要がある。しかし、途中まで印刷された印刷物の束が複数種類あるために、操作者は、うっかり違う印刷物の束をセットしてしまうおそれもある。そこで、以下に説明するような表示を行って、操作者に用意する印刷物の束を間違わないように注意を喚起する。
【００４４】
図６は、孔版印刷機１０で行われる２版目以降の印刷処理の手順を示すフローチャートである。前述のように、１版目の処理は図３のステップＳ１２により行われる。２版目以降の印刷処理は、主に制御部２０、特に表示制御部２２、メモリ管理部２４により実行される。
【００４５】
孔版印刷機１０の操作パネル３０には、印刷条件等を設定するための製版メニュー画面１００が表示される。図７は、製版メニュー画面１００の例を示す図である。なお、製版メニュー画面１００を含む以下で示す画面は、表示制御部２２によって表示される。
【００４６】
図７のメニュー画面で右下のホールド１００ａがタッチされると、ホールドデータ選択画面１１０が表示される。図８は、ホールドデータ選択画面１１０の例を示す図である。印刷データのリストを操作パネル３０のホールドデータ選択画面１１０に表示する（ステップＳ２０）。ホールドデータ選択画面１１０は、第２版目以降の印刷データを選択するための画面である。表示される印刷データはホールドメモリ４８から読み出される。なお、印刷済の印刷データは表示されない。第１版目の印刷データは、表示されない。
【００４７】
ホールドデータ選択画面１１０に表示される「ＡＥＫ.ｄｏｃ−２」は、第１ジョブの第２版の印刷データ名を示し、他も同様である。このフォルダでは、第１ジョブ〜第４ジョブまでの第２版の印刷データ名が表示される。他のフォルダを選択することにより、第３版目以降の印刷データを表示させることもできる。操作者は、ホールドデータ選択画面１１０で、次に印刷する印刷データの選択を行う（ステップＳ２２）。ここでは、ＡＥＫ.ｄｏｃ−２（１１０ａ）が、選択されたとする。
【００４８】
印刷データが選択されたら、選択された印刷データの属する印刷ジョブの印刷経過を取得する（ステップＳ２４）。印刷経過とは、この印刷ジョブで、現在第何版まで印刷済であるかを示すデータである。制御部２０は、各印刷ジョブの各版ごとに印刷開始時間、印刷終了時間、印刷枚数等のログをメモリ４６に記録し、印刷経過はこのログに基づき判断される。
【００４９】
選択された印刷データの前の印刷データをホールドメモリ４８あるいはメモリ４６から取得する（ステップＳ２６）。前の印刷データとは、つまり印刷済の印刷データのことであって、印刷済の印刷データが２つ以上ある場合（つまり、選択された印刷データが３版目以降の場合）には、前の印刷データを全て取得する。
【００５０】
前の印刷データが２つ以上あるかを判断する（ステップＳ２８）。前の印刷データが２つ以上あると判断すると（ステップＳ２８ＹＥＳ）、各版の画像を合成して他色印刷完了画像を生成する（ステップＳ３０）。他色印刷完了画像とは、他色での印刷が完了している内容を示す画像である。前の印刷データが２つ以上ではないと判断すると（ステップＳ２８ＮＯ）、１版目の画像から他色印刷完了画像を生成する（ステップＳ３２）。
【００５１】
ステップＳ３０またはステップＳ３２での他色印刷完了画像の生成後に、ホールドデータ呼出画面を表示する（ステップＳ３４）。ホールドデータ呼出画面は、印刷データの選択後印刷を実行する前に、印刷データの内容やセットされる用紙についてを操作者に確認してもらうための確認用の画面である。特に、操作者が、別な印刷ジョブで印刷した用紙を間違えてセットしないようにするためである。
【００５２】
図９は、ホールドデータ呼出画面１２０の第１の例を示す図である。第１の例は、他色印刷完了画像として１版目の画像から生成された画像が表示される例である。ステップＳ３２に対応する例である。ホールドデータ呼出画面１２０には、選択された印刷データ名１２０ａ，選択された印刷データの画像１２０ｂ、他色印刷完了画像１２０ｃ及びメッセージ１２０ｄ等が表示される。
【００５３】
ここでは、印刷データとして、ＡＥＫ.ｄｏｃ（第１ジョブ）の第２版であるＡＥＫ.ｄｏｃ−２が選択されたとする。印刷データ名１２０ａとして、ＡＥＫ.ｄｏｃ−２が表示される。印刷データの画像１２０ｂとして、第１ジョブの第２版である赤色文字「Ｋ」に対応する画像が表示される。また、他色印刷完了画像１２０ｃとして、第１ジョブの第１版である黒文字「Ａ」の印刷物の束を模した画像が表示される。この他色印刷完了画像１２０ｃは、ステップＳ３２により生成された画像である。メッセージ１２０ｄには、用紙のセットとドラム（版胴）の交換を促す内容が表示される。第２版に対応する「赤インクのセット」が表示される。なお、版胴交換のメッセージは、版胴交換が必要な場合にのみ表示され、交換不要の場合には、表示されない。図５の例では、第２版での第２ジョブ〜第４ジョブでは版胴１２は赤色のままなので、対応するホールドデータ呼出画面１２０では、版胴の交換のメッセージは表示されない。
【００５４】
図１０は、ホールドデータ呼出画面１２０の第２の例を示す図である。第２の例は、他色印刷完了画像として１版目と２版目を合成した画像が表示される例である。ステップＳ３０に対応する例である。ここでは、印刷データとして、ＡＥＫ.ｄｏｃ（第２ジョブ）の第３版であるＡＥＫ.ｄｏｃ−３が選択されたとする。
【００５５】
印刷データ名１２０ａとして、ＡＥＫ.ｄｏｃ−３が表示される。印刷データの画像１２０ｂとして、第１ジョブの第３版である緑色文字「Ｋ」に対応する画像が表示される。また、他色印刷完了画像１２０ｃとして、第１ジョブの第１版である黒文字「Ａ」と第２版である赤文字「Ｅ」が合成された印刷物の束を模した画像が表示される。メッセージ１２０ｄには、用紙のセットとドラム（版胴）の交換（緑インクのセット）を促す内容が表示される。
【００５６】
図６に戻る。操作者は、ホールドデータ呼出画面１２０を見て、対応する印刷物の束を給紙台へセットし、必要に応じて版胴の交換後に、スタート指示をする（ステップＳ３６）。
【００５７】
スタート指示を受けて、選択された印刷データをホールドメモリ４８から取得する（ステップＳ３８）。ｎ版目の製版を行う（ステップＳ４０）。取得した印刷データに基づき、製版処理部３６により、ｎ版目の製版が行われる。
【００５８】
製版後に、ｎ版目の印刷を行う（ステップＳ４２）。印刷処理部４２等により、所定枚数の印刷を行う。印刷終了後に、現印刷した版が当該印刷ジョブの最後の版であるかを判断する（ステップＳ４４）。最後の版であると判断すると（ステップＳ４４ＹＥＳ）、メモリ管理部２４は、ホールドメモリ４８から、ホールドメモリ４８に記憶されている当該印刷ジョブの印刷データを全て削除する（ステップＳ４６）。最後の版ではないと判断すると（ステップＳ４４ＮＯ）、そのまま終了する。
【００５９】
以上説明した実施形態によれば、印刷を分けて行う印刷装置の途中段階で印刷装置にセットすべき印刷途中用紙を操作者が正しく選択することができる印刷装置を提供することができる。
【００６０】
換言すれば、２版目以降で、複数の印刷データの中から次に印刷する印刷データが選択される際に、それまでに印刷された内容を示す他色印刷完了画像が表示部に表示されるので、操作者は、この表示を確認することによって、セットすべき印刷途中用紙を正しく選択することができる。単に印刷済みの印刷データ名等が表示されるのに比べて、セットすべき印刷物に相当する画像が表示されることで、セットすべき印刷物を間違えなく選ぶことができる。
【００６１】
以下に、上述した実施形態の変形例を述べる。
・それまでの印刷済の印刷データが複数ある場合には、他色印刷完了画像として合成画像を表示するとしたが、必ずしも合成画像を表示しなくともよく、直前の印刷画像のみを他色印刷完了画像として表示するようにしてもよい。
・印刷データはＰＣから送信されると説明したが、原稿読取処理部３２で読取られた印刷データでも、同様である。
・多数色を印刷する場合に他色印刷完了画像を表示することを説明したが、同一色の両面印刷の場合にも、裏面印刷時には印刷物の束をセットする作業が発生する。上記実施形態で説明した他色印刷完了画像を表示する処理は、このような両面印刷時にも適用される。
・ホールドデータ呼出画面１２０のメッセージ１２０ｄに、印刷後の経過時間あるいは乾燥完了までの時間を表示するようにしてもよい。乾燥完了までの時間は、温度や湿度等の条件により乾燥必要時間を算出する計算式やテーブルをメモリ４６に用意しておき、これに基づき算出する。乾燥完了までの時間が判れば、操作者は効率よく、印刷処理を行うことができる。
・ホールドデータ呼出画面１２０に示される他色印刷完了画像１２０ｃにつき、印刷内容だけでなく、印刷部数を反映するような表示にしてもよい、つまり、他色印刷完了画像１２０ｃで表示する印刷物の束の大きさを、印刷枚数に応じたサイズで表示する。例えば、印刷部数の少ない場合には、束を薄く表示する。これにより、印刷物束を間違えてセットすることをさらに防止できる。
・孔版印刷機１０の制御部２０を、プログラムに従ったＣＰＵによるソフトウェア処理として説明したが、一部または全部をハードウェアで構成してもよい。
【００６２】
なお、本発明は上述した実施形態そのままに限定されるものではく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用が可能であることはもちろんである。
【符号の説明】
【００６３】
１    孔版印刷システム
５    ＰＣ
６    プリンタドライバ
８    通信Ｉ／Ｆ
１０  孔版印刷機
１２  版胴
２０  制御部
２２  表示制御部
２４  メモリ管理部
３０  操作パネル
３２  原稿読取処理部
３４  データ受信部
３６  製版処理部
３８  排版処理部
４０  給紙処理部
４２  印刷処理部
４４  排紙処理部
４６  メモリ
４８  ホールドメモリ
１００  製版メニュー画面
１１０  ホールドデータ選択画面
１２０  ホールドデータ呼出画面
【図１】
2015030259.tif 000003
【図２】
2015030259.tif 000004
【図３】
2015030259.tif 000005
【図５】
2015030259.tif 000006
【図６】
2015030259.tif 000007
【図４】
2015030259.tif 000008
【図７】
2015030259.tif 000009
【図８】
2015030259.tif 000010
【図９】
2015030259.tif 000011
【図１０】
2015030259.tif 000012